(57)【要約】【課題】組み立て不要の車輪とバット収納部とを備え、バット収納部はバットを前傾姿勢で斜めに保持することができ、かつ、乗用車への車載に適したコンパクトな構造としたバットスタンドを提供する。【解決手段】バット挿入口１ａを有する箱型のバット収納部１と、このバット収納部１の下方かつ後方に設けられた車輪３と、この車輪３より前方かつバット収納部１の下方に設けられた脚４とを備え、車輪３および脚４はバット収納部１をバット挿入口１ａが上方を向くように自立させ、さらに、脚４を支点として車輪３を浮かせたとき、バット収納部１が前方に転倒するのを防止する転倒防止具９をバット収納部１の下方かつ前方に設け、当該転倒防止具９は未使用時に収納可能とした。【選択図】図３
2013048656.tif 000002
【特許請求の範囲】
【請求項１】
バット挿入口を有する箱型のバット収納部と、このバット収納部の下方かつ後方に設けられた車輪と、この車輪より前方かつ前記バット収納部の下方に設けられた脚とを備え、前記車輪および脚は前記バット収納部を前記バット挿入口が上方を向くように自立させ、さらに、前記脚を支点として前記車輪を浮かせたとき、前記バット収納部が前方に転倒するのを防止する転倒防止具を前記バット収納部の下方かつ前方に設け、当該転倒防止具は未使用時に収納可能とした、バットスタンド。
【請求項２】
請求項１に記載のバットスタンドにおいて、
前記バット収納部の後方に、当該バット収納部よりも背の高い位置に持ち手を有するハンドルを設け、当該ハンドルは未使用時にバット収納部の高さよりも低く収納できるようにした、バットスタンド。
【請求項３】
請求項１又は２に記載のバットスタンドにおいて、
前記バット収納部の側面に、帽子等の用具を掛けるためのハンガーを備え、当該ハンガーを収納可能とした、バットスタンド。
【発明の詳細な説明】
【技術分野】
【０００１】
本発明は、野球又はソフトボール用のバットスタンドに関する。
【背景技術】
【０００２】
この種のバットスタンドは種々開示されている。特許文献１は、折り畳み式のコンパクトなバットスタンドを開示している。しかし、バット収納部を組み立てる必要があり、また、バットは垂直に保持される。
【０００３】
特許文献２は、バットを前傾姿勢で保持できるバットスタンドを開示している。しかし、パーツを分解しても、１つのパーツの最大長さがバットの長さと同じ位かそれ以上あり、乗用車への車載に不向きである。また、バットを１列に保持するので、多数のバットを保持するには、保持可能なバットの数に比例して、スタンドのサイズを大きくしなければならない。
【０００４】
特許文献３は、車輪での移動も可能な、高さの低いバットスタンドを開示している。しかし、バット収納部を組み立てる必要があり、車輪部も組み立てる必要がある。また、バットを１列に保持するので、保持可能なバットの数に比例して、スタンドのサイズを大きくしなければならない。図示されたバットスタンドの場合、バットを並べる方向の幅がバット１本の長さより長くなっており、乗用車への車載には不向きと思われる。また、バット全部を前傾姿勢で斜めに保持する構造にはなっていない。
【０００５】
特許文献４は、車輪で移動可能なバットスタンドを開示している。しかし、バットを後方に向けて斜めに保持する構造になっており、バットを前傾姿勢で斜めに保持する構造になっていない。また、バットを１列に保持するため、保持可能なバットの数に比例してスタンドのサイズを大きくしなければならない。図示されたバットスタンドの場合、バットを並べる方向も、スタンドの高さも、バットの長さより長くなっており、乗用車への車載には向かないものと思われる。
【０００６】
特許文献５は、車輪で移動可能なバットスタンドを開示している。しかし、バット収納部は折り畳み式で組み立てるようになっており、また、バットを前傾姿勢で斜めに保持するよう構造ではない。高さもバットの長さの半分を超えており、また、折り畳むと更に長さが出るため、乗用車への車載に向かないものと思われる。
【先行技術文献】
【特許文献】
【０００７】
【特許文献１】特開２００６−９５１５７号公報
【特許文献２】特開２００６−３２５７８９号公報
【特許文献３】特開２００７−１２５２６７号公報
【特許文献４】登録実用新案第３１０１３９２号公報
【特許文献５】実公平７−３７６４９号公報
【発明の概要】
【発明が解決しようとする課題】
【０００８】
本発明は、上記従来例の有する不都合を改善し、特に、組み立て不要の車輪とバット収納部とを備え、バット収納部はバットを前傾姿勢で斜めに保持することができ、かつ、乗用車への車載に適したコンパクトな構造としたバットスタンドを提供することを課題とする。
【課題を解決するための手段】
【０００９】
この課題を解決するため、本発明は以下の構成を採る。
バット挿入口を有する箱型のバット収納部と、このバット収納部の下方かつ後方に設けられた車輪と、この車輪より前方かつ前記バット収納部の下方に設けられた脚とを備え、前記車輪および脚は前記バット収納部を前記バット挿入口が上方を向くように自立させ、さらに、前記脚を支点として前記車輪を浮かせたとき、前記バット収納部が前方に転倒するのを防止する転倒防止具を前記バット収納部の下方かつ前方に設け、当該転倒防止具は未使用時に収納可能とした、バットスタンド。
【発明の効果】
【００１０】
本発明によれば、車輪部とバット収納部とを組み立て不要とし、かつ、バット収納部はバットを前傾姿勢で斜めに保持することができ、かつ、乗用車への車載に適したコンパクトな構造としたバットスタンドを提供することができる。
【図面の簡単な説明】
【００１１】
【図１】本発明の実施形態であるバットスタンドの第１の状態を示す斜視図である。
【図２】本発明の実施形態であるバットスタンドの第２の状態を示す斜視図である。
【図３】本発明の実施形態であるバットスタンドの使用状態を示す斜視図である。
【発明を実施するための形態】
【００１２】
以下、本発明の実施形態を図面を参照して説明する。図１は、本実施形態におけるバットスタンドの第１の状態を示している。この第１の状態は、全体が直方体に近い外形となっており、収納しやすく、また車載に適した外形となっている。先に述べておくと、本実施形態のバットスタンドは、この図１に示す第１の状態から、図２に示す第２の状態（前傾姿勢）に変形できるようになっている。また、図２の状態から図１の状態に戻すことができる。
【００１３】
さて、図１において、箱型のバット収納部１は、ベース２の上に固定されている。ベース２は、その後部に取り付けられた車輪３と、その前部に取り付けられた脚４とによって、自立するようになっている。このとき、箱型のバット収納部１は地面に置いたのと同じように、上方を向くようになっている。車輪３のシャフトは左右方向に設けられ、車輪は左右対称に設けられている。また、脚４は、左右方向に線状に設けられている。
【００１４】
ベース２の後端部には、バット収納部１の背面に沿って上方に立ち上がるサポート５が固定されている。バット収納部１の箱は、ベース２とサポート５との両方に固定されている。サポート５の高さは、バット収納部１の上端の高さと同じか、それより低く設定されている。バット収納部１の箱の高さ（深さ）は、大人用のバットの平均的な長さの半分以下の高さに設定されている。サポート５の上端部には、折り畳み式のハンドル６が取り付けられている。
【００１５】
バット収納部１の上面は開放され、バット挿入口１ａとなっている。バット挿入口１ａは、区画材７によって、マトリクス状の複数の区画に区分されている。バット収納部１の側面の上方前方には、折り畳み式の１段目のバー８ａが取り付けられている。また、同じ側面の上方後方で１段目のバー８ａよりも低い位置には、折り畳み式の２段目のバー８ｂが取り付けられている。この１段目のバー８ａおよび２段目のバー８ｂは、図で隠れているバット収納部１の反対側の側面にも、それぞれ左右対称に取り付けられている。各バー８ａ，８ｂは横方向に回動して広げたり閉じたりできるようになっている。
【００１６】
バット収納部１の底面前方角部には、折り畳み式の転倒防止バー９が取り付けられている。転倒防止バー９は、バット収納部１の底面前方角部に左右対称に取り付けられている。転倒防止バー９は、下方に回動し、バット収納部１の前方に突き出すことができるようになっている。バット収納部１の前面には、ボール等の用具を収納可能なポケット１１が取り付けられている。
【００１７】
スタンドを移動する際は、折り畳んであったハンドル６を上方に回し上げ、ストッパによりハンドル６をサポート５の上部に固定する。そして、手でハンドルを持って、スタンドをハンドル６の側に傾け、車輪３を支点として脚４を浮かせると、車輪３の回転と共にスタンドを移動することができる。
【００１８】
続いて図２を参照し、図１の形態から図２の形態への変形について、説明する。スタンドを使用する際は、左右の転倒防止バー９をバット収納部１の前方に突き出す（図では向かって右の転倒防止バーがポケット１１に隠れている）。そして、脚４を支点にして車輪３を持ち上げると、スタンドの自重により、スタンドは前に倒れようとする。このとき、転倒防止バー９が地面に接触し、スタンドは、車輪３を浮かせた状態で、脚４と転倒防止バー９とによって自立する。
【００１９】
これにより、バット収納部１は前傾姿勢となり維持される。このとき、バット挿入口１ａは斜めになる。側面の１段目バー８ａと２段目バー８ｂを拡げると、そこに帽子、ヘルメット等の用具を掛けることができる。以上の状態が図２に示す形態である。図２に示すように、バット収納部１の内側の底部には、バット挿入口１ａの区画に対応して区分された複数の室が形成されている。この室がバットの先端部を保持する。
【００２０】
次に、使用状態を図３に示す。バット挿入口１ａの区画ごとにバットを挿入すると、挿入した各バットは、バット収納部１の傾斜に応じて斜めに保持される。また、１段目バー８ａおよび２段目バー８ｂには例えば帽子を掛けることができる。また、バット収納部１の前面に設けられたポケット１１には、例えばボールを収納することができる。使用後は、図１に示した状態に戻し、乗用車の荷室に積んで持ち帰ることができる。
【００２１】
以上説明した本実施形態によれば、車輪とバット収納部とを組み立て不要とし、かつ、バット収納部はバットを前傾姿勢で斜めに保持することができ、かつ、乗用車への車載に適したコンパクトな構造としたバットスタンドを提供することができる。
【００２２】
ここで、本発明は上記実施形態に限られない。バットスタンドを構成する各部のデザインは自由に変更することができる。また、ベース、サポートを省略し、車輪、脚、ハンドルをバット収納部に直接取り付けるようにしてもよい。
【符号の説明】
【００２３】
１  バット収納部
１ａ  バット挿入口
２  ベース
３  車輪部
４  脚
５  サポート
６  ハンドル
７  バット挿入口の区画材
８ａ，８ｂ  バー（ハンガー）
９  転倒防止バー
１１  ポケット
【図１】
2013048656.tif 000003
【図２】
2013048656.tif 000004
【図３】
2013048656.tif 000005